(57)【要約】  本発明は、ニットウェア、ならびにニットウェアを製造するための方法および装置に関し、このとき粗糸が、少なくとも２つのドラフトローラ対と紡績ノズル装置とを備えたドラフト装置に供給され、かつ少なくとも２つのドラフトローラ対によってドラフトされ、このときドラフト装置の少なくとも１つの入口ローラ対および出口ローラ対は、編機において形成すべきニットウェアのパターンに相応して、ドラフトされた粗糸の糸太さが入口ローラ対と出口ローラ対との間における相対速度の変化によって変化させられるように、制御されて駆動され、ドラフトされた粗糸は、紡績ノズル装置に供給され、かつ該紡績ノズル装置によって、圧縮空気供給を用いて強化され、かつその後で、ドラフトされて強化された粗糸は、編機に供給される。本発明によれば、方法および装置では、ドラフト装置の出口ローラ対の少なくとも１つの駆動されるローラの回転速度の駆動制御によって、ドラフトされて強化された粗糸の糸供給速度が、編機によって編成すべき編目サイズに関連して調節される。
2020505526.tif 000002
【特許請求の範囲】
【請求項１】
パターンを有するニットウェアを製造する方法であって、
強化されていないスライバから成る、粗糸（４ａ）の形態の繊維束を、糸搬送方向（Ａ）において相前後して配置された少なくとも２つのドラフトローラ対（５１，５２，５３）を備えたドラフト装置（５）と、前記糸搬送方向（Ａ）において前記ドラフト装置（５）の下流に配置された紡績ノズル装置（６）とを有する、粗糸ドラフト兼強化ユニット（１０）に供給し、かつ前記少なくとも２つのドラフトローラ対（５１，５２，５３）によってドラフトし、前記ドラフト装置（５）の少なくとも１つの入口ローラ対（５１）および出口ローラ対（５３）を、編機（２）において形成すべき前記ニットウェアの前記パターンに相応して、ドラフトされた前記粗糸（４ｂ）の糸太さ（ｄ，ｄ’）がその長さにわたって前記入口ローラ対（５１）と前記出口ローラ対（５３）との間における相対速度の変化によって変化させられるように、制御して駆動し、
前記ドラフト装置（５）から進出するドラフトされた前記粗糸（４ｂ）を、前記紡績ノズル装置（６）に供給し、かつ該紡績ノズル装置（６）によって、圧縮空気供給を用いて強化し、かつその後で、
ドラフトされて強化された前記粗糸（４ｄ）を、直接、または少なくとも１つの搬送手段またはニップ手段を介して、前記編機（２）に供給する、方法において、
前記ドラフト装置（５）の前記出口ローラ対（５３）の少なくとも１つの駆動されるローラの回転速度の駆動制御によって、ドラフトされて強化された前記粗糸（４ｄ）の糸供給速度（Ｖ３）を、前記編機（２）によって編成すべき編目サイズに関連して調節する
ことを特徴とする方法。
【請求項２】
前記編機（２）によって編成すべき前記編目サイズが大きければ大きいほど、前記入口ローラ対（５１）と前記出口ローラ対（５３）との間における前記相対速度を小さく調節し、かつ前記出口ローラ対（５３）の前記少なくとも１つの駆動されるローラの回転速度を大きく調節し、かつ前記編機（２）によって編成すべき前記編目サイズが小さければ小さいほど、前記入口ローラ対（５１）と前記出口ローラ対（５３）との間における前記相対速度を大きく調節し、かつ前記出口ローラ対（５３）の前記少なくとも１つの駆動されるローラの前記回転速度を小さく調節する、
請求項１記載の方法。
【請求項３】
前記入口ローラ対（５１）と前記出口ローラ対（５３）との間における前記相対速度を、前記編機（２）によって編成すべき前記編目サイズに対して反比例させて調節し、かつ前記出口ローラ対（５３）の前記少なくとも１つの駆動されるローラの前記回転速度を、前記編目サイズに対して正比例させて調節する、
請求項１または２記載の方法。
【請求項４】
ドラフトされて強化された前記粗糸（４ｄ）を、一定の糸テンションで前記編機（２）に供給する、
請求項１から３までの少なくともいずれか１項記載の方法。
【請求項５】
前記ドラフト装置（５）に、少なくとも１つの補助糸（２２，２５）を供給し、前記ドラフト装置（５）への補助糸供給速度を、前記編機において形成すべき前記ニットウェアの前記編目サイズに関連して、かつ／または前記補助糸（２２，２５）の伸長特性に関連して制御する、
請求項１から４までの少なくともいずれか１項記載の方法。
【請求項６】
ドラフトされて強化された複数の前記粗糸（４ｄ）を、別個の前記粗糸ドラフト兼強化ユニット（１０）において形成し、かつこれらの別個の編成システムから前記編機（２）に供給し、前記粗糸ドラフト兼強化ユニット（１０）を、互いに無関係に駆動制御し、かつ作動させる、
請求項１から５までの少なくともいずれか１項記載の方法。
【請求項７】
複数の前記粗糸ドラフト兼強化ユニット（１０）を、１つのモジュールにまとめ、かつ一緒に電子制御する、
請求項１から５までの少なくともいずれか１項記載の方法。
【請求項８】
前記編機（２）のそれぞれ１つの編成システムに、前記粗糸ドラフト兼強化ユニット（１０）のうちの少なくとも２つの粗糸ドラフト兼強化ユニットから、ドラフトされて強化された前記粗糸（４ｄ）を供給する、請求項６または７記載の方法。
ニットウェアを製造するための装置（１，１’）であって、当該装置（１，１’）は、少なくとも１つの編機（２）と、糸搬送方向（Ａ）において前記編機（２）の上流に配置された少なくとも１つの粗糸ドラフト兼強化ユニット（１０）とを有しており、該粗糸ドラフト兼強化ユニット（１０）は、糸搬送方向（Ａ）において相前後して配置された少なくとも２つのドラフトローラ対（５１，５２，５３）を備えたドラフト装置（５）と、前記糸搬送方向（Ａ）において前記ドラフト装置（５）の下流に配置された少なくとも１つの紡績ノズル装置（６）とを有しており、前記ドラフト装置（５）の入口ローラ対（５１）の少なくとも１つの駆動されるローラ、および出口ローラ対（５３）の少なくとも１つの駆動されるローラは、少なくとも１つの駆動装置（８，８’，８’’）に連結されており、該駆動装置（８，８’，８’’）は、前記編機（２）のためのパターン制御装置（９）に連結されている装置（１，１’）において、
前記編機（２）は、編み深さ調節装置（９１）を有しており、該編み深さ調節装置（９１）は、前記編機（２）のための前記パターン制御装置（９）、および前記出口ローラ対（５３）の前記少なくとも１つの駆動されるローラのための前記少なくとも１つの駆動装置（８’’）に連結されている
ことを特徴とする装置。
【請求項９】
当該装置（１，１’）は、前記粗糸ドラフト兼強化ユニット（１０）から進出するドラフトされて強化された粗糸（４ｄ）の糸テンションを検出するための少なくとも１つの糸テンション測定装置（４１）を有している、
請求項８記載の装置。
【請求項１０】
当該装置（１，１’）は、前記ドラフト装置（５）に接続されていてかつ前記編機（２）のための前記パターン制御装置（９）によって制御可能な、かつ／または前記ドラフト装置（５）に供給すべき補助糸（２２，２５）の伸長特性に関連して制御可能な少なくとも１つの補助糸供給装置（２２０，２１０）を有している、
請求項８または９記載の装置。
【請求項１１】
前記編機（２）の編成システムにはそれぞれ、制御技術的に互いに無関係である少なくとも２つの別個の粗糸ドラフト兼強化ユニット（１０）が対応配置されている、
請求項８から１０までの少なくともいずれか１項記載の装置。
【請求項１２】
前記粗糸ドラフト兼強化ユニット（１０）のうちの複数の粗糸ドラフト兼強化ユニットが、１つのモジュールにまとめられていて、かつ制御技術的に連結されている、
請求項８から１１までの少なくともいずれか１項記載の装置。
【請求項１３】
長さに沿って変化する糸太さを備えたドラフトされて強化された粗糸（４ｄ）から形成されたニットウェアであって、
ドラフトされて強化された前記粗糸（４ｄ）の前記糸太さ（ｄ，ｄ’）は、当該ニットウェアのそれぞれの編目サイズに関連して形成されており、前記編目サイズの増大に連れて前記糸太さ（ｄ’）は増大し、かつ前記編目サイズの縮小に連れて、前記糸太さ（ｄ）は縮小する
ことを特徴とする、ニットウェア。
【請求項１４】
当該ニットウェアは、変化する直径を有しているが一定の不透明性を有している、丸編みされたシームレスのニットウェアである、
請求項１３記載のニットウェア。
【発明の詳細な説明】
【技術分野】
【０００１】
本発明は、ニットウェアを製造する方法であって、強化されていないスライバから成る、粗糸の形態の繊維束を、糸搬送方向において相前後して配置された少なくとも２つのドラフトローラ対を備えたドラフト装置と、糸搬送方向においてドラフト装置の下流に配置された紡績ノズル装置とを有する、粗糸ドラフト兼強化ユニットに供給し、かつ少なくとも２つのドラフトローラ対によってドラフトし、このときドラフト装置の少なくとも１つの入口ローラ対および出口ローラ対を、編機において形成すべきニットウェアのパターンに相応して、ドラフトされた粗糸の糸太さがその長さにわたって入口ローラ対と出口ローラ対との間における相対速度の変化によって変化させられるように、制御して駆動し、ドラフト装置から進出するドラフトされた粗糸を、紡績ノズル装置に供給し、かつ該紡績ノズル装置によって、圧縮空気供給を用いて強化し、かつその後で、ドラフトされて強化された粗糸を、直接、または少なくとも１つの搬送手段またはニップ手段を介して、編機に供給する、方法に関する。
【０００２】
本発明はさらに、ニットウェアを製造するための装置であって、当該装置は、少なくとも１つの編機と、糸搬送方向において編機の上流に配置された少なくとも１つの粗糸ドラフト兼強化ユニットとを有しており、該粗糸ドラフト兼強化ユニットは、糸搬送方向において相前後して配置された少なくとも２つのドラフトローラ対を備えたドラフト装置と、糸搬送方向においてドラフト装置の下流に配置された少なくとも１つの紡績ノズル装置とを有しており、このときドラフト装置の入口ローラ対の少なくとも１つの駆動されるローラ、および出口ローラ対の少なくとも１つの駆動されるローラは、少なくとも１つの駆動装置に連結されており、該駆動装置は、編機のためのパターン制御装置に連結されている装置に関する。
【０００３】
さらに本発明は、長さに沿って変化する糸太さを備えたドラフトされて強化された粗糸から形成されたニットウェアであって、このときドラフトされて強化された粗糸の糸太さは、当該ニットウェアのパターンに関連して形成されている、ニットウェアに関する。
【０００４】
独国特許発明第１０２０１１０５３３９６号明細書（DE 102011053396）に基づいて公知の、ニットウェアを製造するための方法および装置では、編機は、粗糸ドラフト兼強化ユニットに直接連結されており、この粗糸ドラフト兼強化ユニットは、粗糸をドラフトするためのドラフト装置と、ドラフトされた粗糸を一時的に強化するための紡績ノズル装置とを有しており、このとき紡績ノズル装置に後続する糸強化区間の長さは、ニップローラ対によって規定されている。これによって、ドラフトされて強化された粗糸は、直接、粗糸ドラフト兼強化ユニットから、工業的な使用のために好適な長い区間を介して編機に案内することができる。これによって特に柔軟性を有しかつボリュームのあるニットウェアを好適に製造することができる。
【０００５】
従来技術に基づいてさらに、変化する糸太さを備えた糸が公知であるが、しかしながら多くの場合、このようないわゆる星糸（Noppengarn）の糸太さは、単に、糸から製造されたニットウェアの外観に関してだけ変化させられる。このとき星糸は、規則的なまたは不規則な間隔をおいて肉厚部、いわゆる星（Noppen）を有することができる。特に、手編みされた製品であるという印象を喚起することが望ましいニットウェアを製造するためには、糸は、その長さおよび互いの間隔が変化する星を備えた糸が使用される。
【０００６】
独国特許出願公開第１９１００３４号明細書（DE 1910034 A）には、不規則に変化する糸太さを備えた糸を形成するための方法および装置が記載されており、このときベース糸の糸太さの不規則な変化が生ぜしめられ、かつ同時に、生ぜしめられた星の太さおよび長さが不規則な形式で変化させられる。そのために、独国特許出願公開第１９１００３４号明細書に記載された装置は、可変の回転数で作動する制御可能な駆動装置を有している。駆動装置は、運転に応じて、ドラフト装置の下流のセットに接続されており、これによってこのセットを、ドラフト装置の、このセットに対応配置された上流のセットであって、下流のセットから間隔をおいて設けられている上流のセットとは完全に無関係に駆動することができるようになっている。このようにして繊維機械から、ドラフト装置のセットの間において延びているドラフトゾーンへのストランドの供給は、ドラフトされた糸をドラフト装置の上流のセットから放出する速度とは完全に無関係に調整することができる。星糸の肉厚部を形成するために、公知の方法によれば、不規則に変化する信号が生成され、この信号は、ドラフト装置の下流のセットの作業速度が、ドラフト装置の上流のセットの作業速度とは完全に無関係に調整されることを惹起する。独国特許出願公開第１９１００３４号明細書においては、製造された糸における糸太さの変化が、繰り返されるパターンを生ぜしめないということを重視しているにもかかわらず、糸太さの変化を前もって規定可能なパターンに相応してプログラミングすることが望まれている、特定の場合が存在し得る、ということも述べられている。
【０００７】
独国特許出願公開第１９１００３４号明細書に記載された方法、およびこの明細書に記載された装置は、もっぱら、織布のようなファブリックを製造するために後でさらに加工される、変化する糸太さを備えた糸を製造するために働く。
【０００８】
国際公開第２０１６／０９１５２１号（WO 2016/091521 A1）においては、紡績装置と編機とから成る組合せが使用され、このとき紡績装置によって粗糸から、可変の太さのスライバまたは糸が製造可能であり、かつ編機の編目形成エレメントに供給可能である。そのために、紡績装置の１つのドラフト装置の少なくとも２つのローラ対が、互いに無関係に駆動制御可能な固有の駆動装置を有しており、これらの駆動装置によって、ドラフト装置の入口ローラ対と出口ローラ対との間における相対速度を変化させることができるか、または機械に、少なくとも１つの供給ローラを備えた摩擦紡績装置が設けられていて、供給ローラの速度が、１つの引出しローラ対との関係において調整可能である。公知の装置および公知の方法によって、パターンを備えたニットウェアを製造することができ、このパターンは、種々異なったスライバ強度および糸強度を備えた編目の形成によって生ぜしめられており、このときパターンは、編目列方向（Maschenreihenrichtung）および／または編目ウェール方向（Maschenstaebchenrichtung）におけるスライバ太さおよび糸太さの変化によって形成されている。
【０００９】
本発明の課題は、パターンの形成可能性におけるさらに高い可変性を有していて、かつ同時に最適化された材料使用を可能にする、方法、装置、およびニットウェアを提供することである。
【００１０】
この課題は一方では、冒頭に述べた形式の方法において、ドラフト装置の出口ローラ対の少なくとも１つのローラの回転速度の駆動制御によって、ドラフトされて強化された粗糸の糸供給速度を、編機によって編成すべき編目サイズに関連して調節することによって解決される。
【００１１】
好ましくは、太さが変化するドラフトされて強化された粗糸の加工によって、ニットウェアの製造時における材料使用を最適化することができる。本発明に係る方法では、粗糸ドラフト兼強化ユニットから進出するドラフトされて強化された粗糸の糸太さが、編機によって編成されるパターンに相応して、編機に連結された粗糸ドラフト兼強化ユニットによって変化させられる。
【００１２】
太さが変化させられたドラフトされて強化された粗糸を生ぜしめるために、粗糸ドラフト兼強化ユニットのドラフト装置には、強化されていないスライバの形態の繊維束が供給され、この繊維束は、ドラフト装置の、糸搬送方向において相前後して配置された少なくとも２つのドラフトローラ対によって、ドラフトされ、糸搬送方向においてドラフト装置に後続して配置された紡績ノズル装置によって強化される。ドラフト装置においてドラフトされた粗糸を強化するために、この粗糸には、紡績ノズル装置によって圧縮空気が供給される。強化区間は、例えば、糸搬送方向において紡績ノズル装置に後続するニップローラ対によって終了させることができ、その後で、太さが変化させられたドラフトされて強化された粗糸は、問題なく、比較的長い区間を介して、直接、粗糸ドラフト兼強化ユニットから、糸搬送方向においてこの粗糸ドラフト兼強化ユニットに後続して配置された編機に搬送されることができる。
【００１３】
粗糸ドラフト兼強化ユニットにおいて製造されたドラフトされて強化された粗糸の糸太さを変化させるために、ドラフト装置の少なくとも１つの入口ローラ対、つまり糸搬送方向において最初のドラフトローラ対と、ドラフト装置の出口ローラ対、つまり糸搬送方向において最後のドラフトローラ対とが、編機において形成すべきニットウェアのパターンに相応して制御されて駆動される。このとき駆動制御は、ドラフト装置によって生ぜしめられたドラフトされた粗糸の糸太さが、その長さにわたって、入口ローラ対と出口ローラ対との間における相対速度の変化によって変化させられるように行われる。ドラフトされた粗糸の糸太さは、その長さにわたって、入口ローラ対と出口ローラ対との間における相対速度の変化によってパターンに応じて変化させられることができる。
【００１４】
そのために好ましくは、駆動制御される入口ローラ対の回転速度が変化させられ、これによってドラフト装置には、調節された回転速度に関連して、より多くのまたはより少ない繊維束が供給される。出口ローラ対の回転速度は、例えばこのとき一定に保つことができる。しかしながらまた択一的な実施形態では、出口ローラ対の回転速度を、入口ローラ対の等しいまま（一定）の速度に対して相対的に、編成すべきパターンに関連して変化させることができる。さらに入口ローラ対および出口ローラ対は、入口ローラ対と出口ローラ対との間における相対速度の変化を介して、ドラフト装置から進出するドラフトされた粗糸の糸太さが編成すべきパターンに適合され得るように、制御されて駆動されることができる。駆動制御される入口ローラ対の回転速度は、パターンに応じて変化させることができる。
【００１５】
出口ローラ対の少なくとも１つの駆動されるローラの回転速度に対して相対的に、入口ローラ対の少なくとも１つの駆動されるローラの回転速度を高めるに連れて、製造すべきドラフトされて強化された粗糸の糸太さは増大する。逆に、製造すべきドラフトされて強化された粗糸の糸太さは、出口ローラ対の少なくとも１つの駆動されるローラの回転速度に対して相対的に、入口ローラ対の少なくとも１つの駆動されるローラの回転速度を低下させるに連れて、縮小する。
【００１６】
好ましくは、ドラフトローラ対のそれぞれ単に１つのローラが駆動され、このときそれぞれ第２のローラは、駆動されるローラへの圧着によってこのローラに対して逆方向において運動する。しかしながらまた本発明の択一的な変化形態においては、ドラフトローラ対の両ローラを駆動することも可能である。
【００１７】
さらに本発明に係る方法の択一的な変化形態においては、ドラフト装置に供給された繊維束は、２つよりも多くの、例えば３つまたは４つのドラフトローラ対によってもドラフトすることができる。
【００１８】
好ましくは、紡績ノズル装置の紡績ノズルが、ドラフトされた粗糸を糸搬送方向において加撚し、かつ自動的に搬送し、このとき紡績ノズル装置は、好ましくは少なくとも２つの紡績ノズルを有しており、両紡績ノズルは、空気力式に作動し、かつドラフト装置から進出するドラフトされた粗糸に、圧縮空気をそれぞれ逆向きの回転方向で供給する。
【００１９】
さらにまた好ましくは、糸搬送方向において紡績ノズル装置に後続して配置されたニップローラ対の少なくとも１つのニップローラが駆動され、このときここでも、本発明に係る方法の変化形態に応じて、少なくとも１つのニップローラの回転速度を、例えば編成すべきパターンに関連して変化させることができる。ドラフトされて強化された粗糸を、ニップローラ対を通して貫通案内することによって、紡績ノズル装置の強化区間を画定することができ、これによってドラフトされて強化された粗糸を、十分な強度をもってそれぞれの編成箇所に至るまで搬送することができる。
【００２０】
さらに本発明に係る方法では、ドラフト装置の出口ローラ対の少なくとも１つの駆動されるローラの回転速度を駆動制御することによって、編機に至る、ドラフトされて強化された粗糸の糸供給速度が、編機によって編成すべき編目サイズに関連して調節される。
【００２１】
つまり糸供給速度の変化は、本発明に係る方法では、ドラフト装置の、糸搬送方向において最後のドラフトローラ対の回転速度の適合によって可能になり、このとき増大する糸供給速度のためには、出口ローラ対の回転速度を比較的高く調節するべきであり、かつ低下する糸供給速度を得るためには、出口ローラ対の回転速度を比較的低く調節するべきである。
【００２２】
つまり本発明に係る方法では、糸繊度もしくは糸太さ、つまり単位糸部分当たりの糸の質量と、糸供給量とは、形成すべき編物のそれぞれ編成すべき編目サイズに適合させられる。
【００２３】
特に好適であることが判明している実施形態では、単に出口ローラ対の１つのローラが、それぞれ編成すべき編目サイズとそのために必要な、編機への糸供給量とに関連して、駆動され、かつ所属のローラは、駆動されるローラへの圧着によって運動させられる。さらに出口ローラ対の両ローラを共にパターン制御して駆動することも可能である。
【００２４】
糸供給速度の変化によって、編機において異なった大きさの編目を編成することができ、このとき編成すべき編目サイズは、編機における編み深さ（Kuliertiefe）の変化によって可能になる。異なった大きさの編目の編成によって、ニットウェアにおける透明の領域およびあまり透明でない領域を生ぜしめることができる。
【００２５】
さらに、出口ローラ対に対する入口ローラ対の相対速度と、これに基づいて得られる、編機において編目形成のために使用されるドラフトされて強化された粗糸の糸太さ変化との比例的な変化によって、ならびに糸供給速度の変化によって簡単に得ることができる編目サイズの変化を用いて、ほぼ一定の単位面積重量を有していてかつほぼ均一な透明性もしくは不透明性（Blickdichte）によって特徴付けられたニットウェアを製造することができる。
【００２６】
従来技術に基づいて公知のレギンスおよびパンティストッキングは、それらが異なった部分から構成されているのではない場合には、例外なく、等しいままの糸強度を備えた１つの編物から形成されている。これによって、レギンスもしくはパンティストッキングは、例えば臀部周辺における比較的大きな伸長に基づいて透明もしくは半透明になる。アンダウェアおよび／または肌が透けて見えることを回避するために、レギンスもしくはパンティストッキングは相応に大きくすることを甘受しなくてはならず、このことはまたそれ自体、レギンスもしくはパンティストッキングが比較的容易に滑ってしまい、かつ例えば脹ら脛周辺において十分な緊密性を有しないという欠点をもたらす。
【００２７】
丸編物の製造時には、編物の直径が、シリンダ直径およびニードル数のような構造上の条件によって、可能な限り十分に規定されている。編物の直径は、規定された範囲においてしか、編目サイズの変化によって変化させることができない。この効果を、製造者はレギンスにおいて利用している。編目サイズの増大に連れて、編物直径も大きくなる。これによってレギンスの脚部に、ある一定の形状を与えることができる。しかしながらこの形状付与は、予め決定された糸強度によってしか可能でない。したがって従来技術では、小さな編目、ひいては小さな編物直径における不透明性は、大きな編目サイズ、ひいては大きな編物直径におけるよりも高くなっている。
【００２８】
これに対して本発明に係る方法によって、糸強度および編目サイズを、形成すべき編成パターンに適合させることができる。本発明に係る方法の好適な実施形態では、したがってドラフト装置は、編機によって編成すべき編目サイズが大きければ大きいほど、入口ローラ対と出口ローラ対との間における相対速度を小さく調節し、かつ出口ローラ対の少なくとも１つの駆動されるローラの回転速度を大きく調節し、かつ編機によって編成すべき編目サイズが小さければ小さいほど、入口ローラ対と出口ローラ対との間における相対速度を大きく調節し、かつ出口ローラ対の少なくとも１つの駆動されるローラの回転速度を小さく調節するように、駆動制御される。これによって例えばレギンスまたはパンティストッキングのようなニットウェアにおいて、例えば臀部周辺領域における高められた伸長に基づき、臀部周辺におけるアンダウェアおよび／または肌が見苦しく透けて見えてしまうことを回避することができる。
【００２９】
そのために本発明に係る方法の使用時には、一方では編目を、製造されたニットウェアが装着中に、例えば臀部周辺におけるように比較的大きな伸長にさらされる領域において、比較的大きく編成し、かつ他方では糸太さを、編目のサイズに関連して増大させることができる。相応に糸太さは、好ましくは生ぜしめられる編目サイズに関連して適合され、このとき編目サイズの増大に連れて、編成箇所に供給されるドラフトされて強化された粗糸の糸太さは、増大し、かつ編目サイズの縮小に連れて、編成箇所に供給されるドラフトされて強化された粗糸の糸太さは、縮小する。つまり本発明に係る方法では、形成すべきニットウェアの編目サイズおよび糸太さは、パターン制御されて決定される。
【００３０】
そのために好ましくは、入口ローラ対と出口ローラ対との間における相対速度を、編機によって編成すべき編目サイズに対して反比例させて調節し、かつ出口ローラ対の少なくとも１つの駆動されるローラの回転速度を、編目サイズに対して正比例させて調節する。
【００３１】
ドラフトされて強化された粗糸の特に容易な編成を可能にするため、かつ極めて高い品質のニットウェアを編成するためには、ドラフトされて強化された粗糸を、等しいまま（一定）の糸テンションで編機に供給することが、特に好適であると判明している。本発明に係る方法の択一的な実施形態では、ドラフトされて強化された粗糸を、一定の糸テンションで編機に供給するのではなく、例えば編成パターンに適合させることが可能である。
【００３２】
さらに、製造すべきニットウェアの耐久性に関しては、ドラフト装置に少なくとも１つの補助糸を供給することが極めて好適であることが判明しており、このときドラフト装置への補助糸供給速度は、編機において形成すべきニットウェアの編目サイズに関連して、かつ／または補助糸の伸長特性に関連して制御される。ドラフト装置への補助糸供給速度は、編機において形成すべきニットウェアのパターンに関連して制御することも可能である。
【００３３】
特に有効であることが判明している実施形態では、補助糸は、糸搬送方向においてドラフト装置の最後のドラフトローラ対、つまり出口ローラ対を通して引き出される。ドラフト装置の個々のローラは場合によって異なった回転速度で運動するので、ドラフト装置の最後のドラフトローラ対に供給された補助糸には、ただ１つの回転速度しか加えられず、その結果補助糸の供給は、この回転速度に、ひいては編機において形成すべきニットウェアのパターンに適宜に適合させられることができる。しかしながらまた本発明に係る方法の別の変化形態では、補助糸は、粗糸に、他の箇所において、例えばドラフト装置への供給前においても供給されることができる。好ましくは、粗糸への補助糸の供給によって、芯・外装糸（Kern-Mantel-Garn）が形成され、この芯・外装糸では、ドラフトされて強化された粗糸が束の形態で補助糸を取り囲んでいる。
【００３４】
本発明に係る方法の実施形態、もしくはこれによって形成すべきニットウェアの実施形態に応じて、非弾性の糸、いわゆる芯糸、または弾性の糸、いわゆるエラスト糸を、補助糸として使用することができる。補助糸の使用によって、編機に供給すべきドラフトされて強化された、高められた安定性を備えた補助糸を含む粗糸を、得ることができる。
【００３５】
さらに粗糸に、１つの補助糸よりも多くの、例えば２つまたは３つの補助糸を供給することも可能である。この場合、それぞれの補助糸を、別個の補助糸供給装置によってドラフト装置に供給すると、好適であることが判明している。しかしながらまたそれぞれの補助糸を、ただ１つの補助糸供給装置を用いて粗糸に搬送することも可能である。
【００３６】
好ましくは、粗糸内への少なくとも１つの補助糸の挿入によって、かつそれぞれ編成すべき編目サイズに適合された糸太さもしくは糸強度によって、上に述べたように、例えばしばしばレギンスまたはパンティストッキングにおいて臀部周辺に該当するような、大きな伸長に基づく見苦しい透け見え効果（Durchschimmereffekt）が回避されるニットウェアを製造することができる。その結果として、特に装着状態において、ほぼ等しい透明性もしくは不透明性、および美しい均一な全体印象を、不所望の透け見え効果なしに有する、ニットウェアを製造することができる。
【００３７】
例えば少なくとも１つのエラスト糸のような少なくとも１つの補助糸は、本発明では芯糸として、つまり粗糸の繊維によって取り囲まれた補助糸として、粗糸内に挿入することができる。このことは、後の製品において、装着する人にとって被服生理学的な利点を有している。このときエラスト糸は、混紡におけるように皮膚に接触せず、繊維外装によって被覆されている。
【００３８】
本発明に係る方法の特に好適な変化形態では、ドラフトされて強化された複数の粗糸を、別個の粗糸ドラフト兼強化ユニットにおいて形成し、かつこれらの別個の編成システムから編機に供給し、このとき粗糸ドラフト兼強化ユニットを、互いに無関係に駆動制御し、かつ作動させる。このような構成は、特に小型丸編機の使用時に好適であることが判明している。
【００３９】
しかしながらまた本発明に係る方法の択一的な実施形態では、２つまたはそれ以上の、ドラフトされて強化された粗糸を、共通の粗糸ドラフト兼強化ユニットによって形成し、かつ次いで編機の１つまたは複数の別個の編成システムに供給することができる。
【００４０】
また、複数の粗糸ドラフト兼強化ユニットを、１つのモジュールにまとめ、かつ一緒に電子制御することも可能である。このときすべての粗糸ドラフト兼強化ユニット、または単に個々の粗糸ドラフト兼強化ユニットを、１つのモジュールにまとめておくことも可能である。粗糸ドラフト兼強化ユニットのモジュラ式の運転は、特に小型丸編機の使用に関して好適であることが判明している。
【００４１】
本発明に係る方法の好適な構成では、編機のそれぞれ１つの編成システムに、粗糸ドラフト兼強化ユニットのうちの少なくとも２つの粗糸ドラフト兼強化ユニットから、ドラフトされて強化された粗糸を供給する。これによって、ドラフトされて強化された粗糸から成る２つ、３つ、４つ、または４つよりも多くのストランドを、別個に形成することができ、かつそれぞれの編成システムにおいて、つまりそれぞれの編目形成箇所においてまとめることができる。これによって、異なった材料から成っていて、かつ／または異なった糸特性を備えた、異なった粗糸を、形成すべき編物において組み込むことが可能である。
【００４２】
本発明の課題はさらに、冒頭に述べた形式の装置であって、編機が、編み深さ調節装置を有しており、該編み深さ調節装置は、編機のためのパターン制御装置、および出口ローラ対の少なくとも１つの駆動されるローラのための少なくとも１つの駆動装置に連結されている装置によって解決される。
【００４３】
ドラフト装置の出口ローラ対、つまり糸搬送方向において最後のドラフトローラ対の少なくとも１つの駆動されるローラの駆動に対して相対的な、ドラフト装置の入口ローラ対、つまり糸搬送方向において最初のドラフトローラ対の少なくとも１つの駆動されるローラの、パターン制御された駆動によって、本発明に係る装置によって、異なった糸太さを備えた、ドラフトされて強化された粗糸を形成することができ、このような粗糸の材料使用は、編機において形成すべき編目構造に最適に適合されている。
【００４４】
そのために編機は、粗糸ドラフト兼強化ユニットに連結されており、この粗糸ドラフト兼強化ユニットは、糸搬送方向において相前後して配置された少なくとも２つのニップローラ対を備えた少なくとも１つのドラフト装置、糸搬送方向において下流に配置された紡績ノズル装置、および好ましくは、しかしながら必ずしも必要ではない、紡績ノズル装置の強化区間を画定するニップローラ対を有している。
【００４５】
ドラフトされて強化された粗糸を製造するために、ドラフト装置の、糸搬送方向において最初のニップローラ対には、強化されていないスライバの形態の繊維束が供給され、このような繊維束は、個々のドラフトローラ対によってドラフトされ、かつ紡績ノズル装置を用いて強化される。追加的な安定性を、ドラフトされて強化された粗糸は、後続して配置されたニップローラ対によって得ることができる。
【００４６】
本発明に係る装置では、それぞれのドラフトローラ対のそれぞれ少なくとも１つのローラが、駆動装置によって駆動され、このとき両ローラが駆動されてもよい。糸太さ変化は、特に、ドラフト装置の出口ローラ対に対して相対的な、入口ローラ対の回転速度の変化によって達成される。
【００４７】
糸搬送方向においてドラフト装置に後続して配置された紡績ノズル装置は、好ましくは２つの自己搬送式の紡績ノズルを有しており、これによってドラフトされた粗糸の搬送は、紡績ノズルの、作業方向に向けられた空気流によって行われる。好ましくは、両紡績ノズルは、糸搬送方向において相前後して配置されており、このとき両紡績ノズルは、空気力式に作動し、かつ互いに逆向きの回転流を有している。
【００４８】
好ましくは糸搬送方向において紡績ノズル装置に後続して配置されたニップローラ対は、また駆動装置に連結されているか、または連結可能であってよく、この駆動装置によってニップローラ対の少なくとも１つのニップローラが駆動される。ドラフトされて強化された粗糸を、ニップローラ対を通して貫通案内することによって、ドラフトされて強化された粗糸に、追加的な安定性および強度が与えられ、これによってドラフトされて、紡績ノズル強化後にニップされた粗糸は、問題なくまた、比較的長い区間を介して編機に搬送されることができ、しかもこのとき、単に一時的にしか強化されていない粗糸が、この搬送中に解離することはない。特に、紡績装置と編機とのこのような連結形式によって、特に柔らかいニットウェアを、極めて効果的に、スペースを節減して、かつ比較的安価に製造することができる。
【００４９】
本発明に係る装置の特に好適な変化形態において編機は、編機のためのパターン制御装置に連結されている編み深さ調節装置を有している。
【００５０】
編み深さ調節装置によって、好適に、編成すべき編目サイズを変化させることができる。編機のパターン制御装置との編み深さ調節装置の連結は、編目サイズを、編成すべきパターンに関連して変化させることを可能にする。製造すべき編目サイズに関連して、編目を形成するニードルが、編み深さ調節装置を用いて、大きくまたは僅かな大きさに、間隔を空けられる。
【００５１】
特に糸太さの適合との組合せにおいて、装着状態においてもほぼ等しい透明性もしくは不透明性を有している、例えばレギンスまたはパンティストッキングのようなニットウェアを製造することができる。これによって特に、例えば男性または女性の装着者の臀部周辺における、ニットウェアの高められた伸長に基づく、肌および／またはアンダウェアの見苦しい透け見えを回避することができる。好ましくは、編目はそのために、ニットウェアが比較的大きな伸長にさらされる領域において、例えば男性または女性の装着者の臀部周辺において比較的大きく形成され、このとき同時にニットウェアの糸太さも増大させられる。しかしながらまた、特に透明なニットウェアを形成するために、編目サイズの増大に連れて、糸太さを縮小させることも可能である。糸太さの適合はまた、パターンに応じて行うことも可能である。
【００５２】
本発明に係る装置の好適な実施形態では、装置は、粗糸ドラフト兼強化ユニットから進出するドラフトされて強化された粗糸の糸テンションを検出するための測定装置を有している。この測定装置によって、ドラフトされて強化された粗糸を、等しいまま（一定）の糸テンションで、編機のそれぞれの編成箇所に供給することを保証することができ、これによって、ドラフトされて強化された粗糸を、特に適宜に加工し、かつ同時に高い品質を備えたニットウェアを製造することができる。
【００５３】
測定装置は、さらにまた糸搬送速度、または他のプロセスパラメータを検出するためにも使用することができる。好ましくは、測定装置によって検出された値によって、紡績および／または編成プロセスが調整され、このとき、例えば１つまたは複数のドラフトローラ対の回転速度のような、１つまたは複数のプロセスパラメータを、調節することが可能である。
【００５４】
本発明に係る装置の好適な変化形態において、装置は、ドラフト装置に接続されていてかつ編機のためのパターン制御装置によって、かつ／またはドラフト装置に供給すべき補助糸の伸長特性に関連して制御可能な少なくとも１つの補助糸供給装置を有している。ドラフトされて強化された粗糸内に補助糸を挿入することによって、粗糸には、追加的な安定性および強度が与えられる。さらに例えば、ドラフトされて強化された粗糸の伸長特性に、補助糸によって影響を及ぼすことが可能である。
【００５５】
好ましくは、補助糸供給装置は、ドラフト装置の出口ローラ対、つまり糸搬送方向において最後のドラフトローラ対によって実現された引出し機能を有しており、これによって補助糸を、最後のドラフトローラ対によって収容し、かつドラフトされた糸内に組み込むことができる。主ドラフト中に初めて補助糸を供給することによって、補助糸は、ドラフト装置の１つのニップポイントしか通過しない。このとき補助糸供給装置の速度は、最後のドラフトローラ対の回転速度、および／または編機のパターン制御装置に最適に適合させることができる。さらに補助糸供給装置を、補助糸の伸長特性に関連して制御することも可能である。
【００５６】
使用事例に応じて、補助糸は、弾性に形成されていても、または非弾性に形成されていてもよい。ドラフトされて強化された粗糸に補助糸を供給することによって、芯が補助糸によって形成される芯・外装糸が好適に得られる。本発明に係る装置の択一的な実施形態では、ドラフトされて強化された粗糸に、１つよりも多くの補助糸、例えば２つまたは３つの補助糸が供給されてよい。
【００５７】
好ましくは、ドラフトされて強化された粗糸を芯・外装糸として構成することによって、ニットウェアの伸長時における、例えばレギンスまたはパンティストッキングのような製造されたニットウェアの見苦しい透け見え効果を回避することができる。さらに、大きな伸長の領域における糸太さの増大との組合せにおける編目の増大によっても、透け見え効果を回避することができる。
【００５８】
さらに特に好適であることが判明している実施形態では、編機の編成システムにはそれぞれ、制御技術的に互いに無関係である少なくとも２つの別個の粗糸ドラフト兼強化ユニットが対応配置されている。このような構成は、特に、小型丸編機における使用に関して好適であることが判明している。
【００５９】
しかしながらまた、本発明に係る装置の択一的な実施形態では、粗糸ドラフト兼強化ユニットのうちの複数の粗糸ドラフト兼強化ユニットが、１つのモジュールにまとめられていて、かつ制御技術的に連結されていてもよい。このような使用は、特に大型丸編機における使用に関して好適であると見なすことができる。使用事例に応じて、ここではすべての粗糸ドラフト兼強化ユニットが、または単に幾つかの粗糸ドラフト兼強化ユニットが、制御技術的に連結されていてよい。
【００６０】
本発明の課題はさらに、冒頭に述べた形式のニットウェアであって、ドラフトされて強化された粗糸の糸太さが、ニットウェアのそれぞれの編目サイズに関連して形成されており、このとき編目サイズの増大に連れて糸太さが増大し、かつ編目サイズの縮小に連れて、糸太さは縮小するニットウェアによって、解決される。
【００６１】
糸太さのパターン制御された変化によって、材料使用を、ニットウェアの編目構造に最適に適合させることができる。さらに本発明に係るニットウェアでは、その製造のために使用されるドラフトされて強化された粗糸の糸太さは、ニットウェアのそれぞれの編目サイズに関連して形成されており、このとき編目サイズの増大に連れて、糸太さは増大し、かつ編目サイズの縮小に連れて、糸太さは縮小する。
【００６２】
極めて特に好適に、ニットウェアは、変化する直径を有しているが等しいまま（一定）の不透明性を有している、丸編みされたシームレスのニットウェアである。このような場合ニットウェアは、例えばストッキングであってよく、このストッキングの直径は、脹ら脛領域において下から上に向かって増大し、これによってこの脹ら脛領域における編目サイズは、下から上に向かって増大するが、不透明性は等しいままである。それというのは、本発明によればこの脹ら脛領域における編成時に、下から上に向かって、つまり編目が大きくなる場合に、より多くの、かつより太い糸が編成箇所に供給されるからである。同じことは、逆にこの脹ら脛領域における編成時に、上から下に向かって、編目が小さくなる場合に、より少ない、かつより細い糸が編成箇所に供給される場合にも言える。このとき本発明に係るニットウェアは、このニットウェアが伸長状態もしくは装着状態においても一貫して等しい透明性もしくは不透明性を有するように形成されている。本発明に係るニットウェアの択一的な実施形態では、しかしながらまた編目サイズの増大に連れて、糸太さが縮小することも可能であり、このようにすると、特に透明な領域と、特に不透明な領域とを製造することができる。
【００６３】
ニットウェアは、パターンを有するニットウェアであってよい。
【００６４】
次に本発明の好適な実施形態、その構造、機能、および利点について、図面を参照しながら詳説する。
【図面の簡単な説明】
【００６５】
【図１】本発明に係る方法の１実施形態において中間製品として形成可能なドラフトされた粗糸であって、異なった糸太さを備えた粗糸の一部を、概略的に示す側面図である。
【図２】本発明に係る装置の１つの可能な実施形態を、断面して概略的に示す側面図である。
【図３】本発明に係る装置の別の可能な実施形態を、断面して概略的に示す側面図である。
【００６６】
図1には、本発明に係る方法の１実施形態の中間製品として製造可能なドラフトされた粗糸４ｂの一部が概略的に側面図で示されており、このとき粗糸４ｂは、図示の実施例では長さｌを有している。
【００６７】
粗糸４ｂの、図１に示された粗糸部分は、３つの領域４１，４１’，４２を有しており、これらの領域４１，４１’，４２は、異なった糸太さｄ，ｄ’によって特徴付けられている。図１に示されているように、粗糸４ｂは領域４２において、領域４１，４１’におけるよりも大きな糸太さｄ’を有している。このとき糸太さｄ，ｄ’は、粗糸４ｂが一時的に強化された形でドラフトされ強化された粗糸として供給される編機において、編成すべきパターンに適合させられている。このとき糸太さｄ，ｄ’、および粗糸４ｂが比較的大きなまたは比較的小さな直径を有する領域の長さは、パターン固有に形成されている。このとき、図１に示されたのとは異なり、粗糸４ｂは、その長い区間にわたって一定の糸太さｄ，ｄ’を有することもできる。また糸太さｄ，ｄ’は、極めて短い間隔において変化することも可能である。糸太さｄ，ｄ’が変化する領域４１，４１’，４２は、規則的に繰り返されていても、またはパターンに応じて不規則に形成されていてもよい。
【００６８】
ドラフトされた粗糸４ｂは、個々の繊維４０から成っており、これらの繊維４０は、ここでは見えない補助糸を取り囲んでいる。使用事例に応じて、補助糸は弾性に形成されていても、または非弾性に形成されていてよい。同様に、補助糸を有していない、もしくは１つの補助糸よりも多くの補助糸を有するドラフトされた粗糸を形成することも可能である。
【００６９】
図２には、本発明に係る装置１の１実施形態が断面された側面図で示されており、このとき図１におけると同じ符号は、同じコンポーネントを記載しており、かつこれに関連しては、先行する記載を参照するものとする。
【００７０】
図２に示された装置１は、編機２と、この編機２に連結された粗糸ドラフト兼強化ユニット１０とを有している。
【００７１】
粗糸ドラフト兼強化ユニット１０は、ドラフト装置５、糸搬送方向Ａにおいてドラフト装置５の下流に配置された紡績ノズル装置６、および図示の実施形態では糸搬送方向Ａにおいて紡績ノズル装置６に後続するニップローラ対７を有している。
【００７２】
図２に示された実施形態において、ドラフト装置５は、糸搬送方向Ａにおいて相前後して配置されていて互いに間隔５６１，５６２をおいて設けられた３つのドラフトローラ対５１，５２，５３を有している。択一的な実施形態では、しかしながらまた装置１は、単に２つのドラフトローラ対５１，５３を有していても、または３つのドラフトローラ対５１，５２，５３よりも多くのドラフトローラ対を有していてもよい。ドラフトローラ対５１，５２，５３自体は、それぞれ２つのローラ５１１，５１２，５２１，５２２，５３１，５３２によって形成される。
【００７３】
ドラフトされて強化された粗糸４ｂを製造するために、ドラフト装置５の、糸搬送方向Ａにおいて第１のドラフトローラ対５１、つまり入口ローラ対には、強化されていないスライバの形態の繊維束（Lunte）４ａが供給される。繊維束４ａは、図示の実施形態では、フライヤボビン３１を有する粗糸貯えユニット３から提供され、かつ入口ローラ対５１に案内される。
【００７４】
ドラフト装置５において繊維束４ａは、ドラフトローラ対５１，５２，５３を用いてドラフトされる。そのためにそれぞれのドラフトローラ対５１，５２，５３のそれぞれ１つのローラ５１１，５２１，５３１は、それぞれのローラ５１１，５２１，５３１を駆動する駆動装置８，８’，８’’に連結されている。
【００７５】
図２に示されているように、例示された本発明に係る装置１において、それぞれのドラフトローラ対５１，５２，５３の駆動されないローラ５１２，５２２，５３２は、ドラフト装置押圧アーム５４を用いてばね５４１の使用下で、駆動されるローラ５１１，５２１，５３１に押圧される。このときローラ５１２，５２２，５３２は、これらのローラ５１２，５２２，５３２がローラ５１１，５２１，５３１に対して逆向きに回転できるように支持されている。
【００７６】
それぞれの編目サイズに適合させられた糸太さｄ，ｄ’を有するドラフトされた粗糸４ｂを製造するために、駆動装置８，８’，８’’は、パターン制御装置９に連結されており、このとき特に、入口ローラ対５１のローラ５１１の駆動装置８の回転速度Ｘ１は、出口ローラ対５３の回転速度Ｘ３に対して相対的に、編機２によって編成すべきパターンに関連して調整され、このとき図示の実施形態では入口ローラ対５１の回転速度Ｘ１が変化させられ、このときドラフトローラ対５２の回転速度Ｘ２は、予め規定されたまたは調節可能な変速比でもってドラフトローラ対５１の回転速度に追従し、かつドラフトローラ対５３の回転速度Ｘ３は一定に保たれる。
【００７７】
編成すべき編目サイズにも影響を及ぼすことができるようにするために、パターン制御装置９は、さらに、編機２の概略的に示された編み深さ調節装置（Kuliertiefenverstellvorrichtung）９１に連結されている。このときプロセスは、好ましくは、編目サイズの増大に連れて糸太さｄ’が増大し、かつ編目が縮小するに連れて、糸太さｄもまた縮小するように調整され、これによって、装着状態においてほぼ一定の透明性もしくは不透明性を有している、例えばレギンスまたはパンティストッキングのようなニットウェアを製造することができ、これによって、場合によっては他の箇所よりも多く伸長する箇所における見苦しい透け見え（Durchscheinen）を回避することができる。しかしながらまた同様に択一的な変化形態におけるプロセスは、編目サイズの増大に連れて糸太さｄ，ｄ’が縮小するように、かつそれとは逆に編目サイズの縮小に連れて糸太さｄ，ｄ’が増大するように、調整されてもよい。相応に、ニットウェアにおいて特に透明な領域を形成することができる。
【００７８】
ドラフト装置５から進出するドラフトされた粗糸４ｂは、次いで紡績ノズル装置６内に進入する。紡績ノズル装置６内において、ドラフトされた粗糸４ｂの撚りが空気噴流を用いて行われる。このとき紡績ノズル装置６は、相前後して配置された２つの紡績ノズル６１，６２から成っており、両紡績ノズル６１，６２は、空気渦流ノズルである。両紡績ノズル６１，６２によって発生させられた空気流は、互いに逆向きの回転方向Ｂ，Ｃを有しているので、仮撚りが形成される。
【００７９】
紡績ノズル装置６には、図示の実施形態では、糸搬送方向Ａにおいて後続してニップローラ対７が設けられており、このニップローラ対７は、互いに逆向きに回転可能な２つのニップローラ７１，７２を有している。紡績ノズル装置６から進出するドラフトされて強化された粗糸４ｃは、互いに押し合わされているニップローラ７１，７２を通して貫通案内され、これによって一方では粗糸４ｃのための貫通案内部が形成され、かつ他方では粗糸４ｃのためのニップポイントが形成される。このときニップポイントは、紡績ノズル装置６の下流側における繊維強化区間を画定している。ニップローラ対から、ドラフトされて強化された粗糸４ｄが進出し、この粗糸４ｄは、次に編機２に直接供給される。
【００８０】
本発明に係る装置１’の、図３に示された実施形態では、粗糸４ｂには、補助糸供給装置２２０を用いて非弾性の補助糸２２が供給され、この補助糸２２は、ドラフトされて強化された粗糸４ｄの強度を高めるために役立つ。このとき非弾性の補助糸２２は、補助糸ニップローラ対２３を用いてボビン２４から引き出され、図示の実施形態では糸ガイド小管２６を介してドラフト装置５に供給され、かつ粗糸４ｂ内に組み込まれる。図示の実施形態では、非弾性の補助糸２２は、ドラフト装置５の、糸搬送方向Ａにおいて最後のドラフトローラ対、つまり出口ローラ対５３に供給され、これによって補助糸２２の糸供給速度Ｖ４は、単に出口ローラ対５３の回転速度Ｘ３に適合させるだけでよい。
【００８１】
補助糸ニップローラ対２３とドラフト装置５との間に設けられた糸テンション測定装置４３を用いて、非弾性の補助糸２２の糸テンションを検査することができる。特に、製造されるニットウェアの品質および編成プロセスの実施に関しては、装置１，１’が、補助糸ニップローラ対２３から進出する粗糸４ｄの糸テンションを検出するための糸テンション測定装置４３を有していることが、好適であると判明しており、このようになっていると、粗糸４ｄを、連続した糸テンションで編機２に供給することができる。
【００８２】
さらに図３の実施形態において、粗糸４ｂには、弾性の補助糸２５、例えばエラスト糸が、別の補助糸供給装置２１０を用いて供給される。この弾性の補助糸２５は、正確な補助糸テンションを調節することができる周囲駆動装置（Umfangsantrieb）によって、糸テンション測定装置４２を介して導かれ、かつその後でドラフトローラ対５３に供給される。図示の実施形態において、弾性の補助糸２５は、非弾性の補助糸２２と一緒に糸供給速度Ｖ５で糸ガイド小管２６を介してドラフト装置５に供給される。
【００８３】
また、補助糸供給装置２２０，２１０が、パターン制御装置および／または補助糸２２，２５の伸長特性によって制御されると好適である。特に、補助糸供給装置２２０，２１０が、パターン制御装置に連結されていると、補助糸２２，２５をパターンに適合させて使用することができる。弾性の補助糸２５を使用するか、または非弾性の補助糸２２を使用するかは、使用事例固有に選択することができる。同様に、単に１つの補助糸２２または２５を粗糸４ｂに供給するか、または場合によっては複数の補助糸２２，２５を粗糸４ｂに供給するかを、使用事例に応じて決定することができる。複数の補助糸２２，２５が使用される限りは、これらの補助糸２２，２５は、図３に示されているように、場合によっては異なっている補助糸テンションを顧慮して、別個の補助糸供給装置２２０，２１０を用いて、ドラフト装置５に供給することが望ましい。しかしながらまた択一的な変化形態では、複数の補助糸を、ただ１つの補助糸供給装置を用いて供給することも可能である。
【００８４】
好ましくは、本発明に係る装置１，１’は、異なった大きさに形成された編目を備えたニットウェアを簡単に製造することができ、これによって、編目サイズに関連して可変の糸太さｄ，ｄ’を顧慮して、極めて透明な、もしくは不透明なニットウェアを提供することができる。編目サイズを変化させるために、粗糸ドラフト兼強化ユニットから編機への糸供給速度が変化させられ、このことは、糸搬送方向Ａにおいて最後のドラフトローラ対、つまり出口ローラ対５３の回転速度の変化によって実現される。
【００８５】
本発明では、編目サイズの変化によって異なった圧縮ゾーンを編ホースにおいて生ぜしめることも、同様に可能である。
【００８６】
さらに本発明では、糸太さもしくは糸強度の変化によって、異なった技術的な特性を備えたニットウェアを製造することができる。糸太さの変化時には、本発明に係る方法では、完成した糸における繊維含有量が変化させられる。補助糸繊度は、プロセス中に決定されている。したがって例えば導電性の補助糸を、異なった量の繊維によって取り囲むことができ、このことは、部分的に別の特性を、それぞれ製造されたニットウェアにおいてもたらす。
【００８７】
本発明によって、ニットウェアの耐摩耗強度に、編目サイズおよび糸強度の適合によって影響を及ぼすことが可能である。さらに本発明は、ニットウェアの透湿特性および／または蓄熱能力のような、ニットウェアの使用特性に、影響を及ぼすために使用することができる。さらに本発明を用いて、さらに、または択一的に、ニットウェアの熱伝導性および／または断熱特性に、影響を及ぼすことが可能である。
【図１】
2020505526.tif 000003
【図２】
2020505526.tif 000004
【図３】
2020505526.tif 000005
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
パターンを有するニットウェアを製造する方法であって、
強化されていないスライバから成る、粗糸（４ａ）の形態の繊維束を、糸搬送方向（Ａ）において相前後して配置された少なくとも２つのドラフトローラ対（５１，５２，５３）を備えたドラフト装置（５）と、前記糸搬送方向（Ａ）において前記ドラフト装置（５）の下流に配置された紡績ノズル装置（６）とを有する、粗糸ドラフト兼強化ユニット（１０）に供給し、かつ前記少なくとも２つのドラフトローラ対（５１，５２，５３）によってドラフトし、前記ドラフト装置（５）の少なくとも１つの入口ローラ対（５１）および出口ローラ対（５３）を、編機（２）において形成すべき前記ニットウェアの前記パターンに相応して、ドラフトされた前記粗糸（４ｂ）の糸太さ（ｄ，ｄ’）がその長さにわたって前記入口ローラ対（５１）と前記出口ローラ対（５３）との間における相対速度の変化によって変化させられるように、制御して駆動し、
前記ドラフト装置（５）から進出するドラフトされた前記粗糸（４ｂ）を、前記紡績ノズル装置（６）に供給し、かつ該紡績ノズル装置（６）によって、圧縮空気供給を用いて強化し、かつその後で、
ドラフトされて強化された前記粗糸（４ｄ）を、直接、または少なくとも１つの搬送手段またはニップ手段を介して、前記編機（２）に供給する、方法において、
前記ドラフト装置（５）の前記出口ローラ対（５３）の少なくとも１つの駆動されるローラの回転速度の駆動制御によって、ドラフトされて強化された前記粗糸（４ｄ）の糸供給速度（Ｖ３）を、前記編機（２）によって編成すべき編目サイズに関連して調節する
ことを特徴とする方法。
【請求項２】
前記編機（２）によって編成すべき前記編目サイズが大きければ大きいほど、前記入口ローラ対（５１）と前記出口ローラ対（５３）との間における前記相対速度を小さく調節し、かつ前記出口ローラ対（５３）の前記少なくとも１つの駆動されるローラの回転速度を大きく調節し、かつ前記編機（２）によって編成すべき前記編目サイズが小さければ小さいほど、前記入口ローラ対（５１）と前記出口ローラ対（５３）との間における前記相対速度を大きく調節し、かつ前記出口ローラ対（５３）の前記少なくとも１つの駆動されるローラの前記回転速度を小さく調節する、
請求項１記載の方法。
【請求項３】
前記入口ローラ対（５１）と前記出口ローラ対（５３）との間における前記相対速度を、前記編機（２）によって編成すべき前記編目サイズに対して反比例させて調節し、かつ前記出口ローラ対（５３）の前記少なくとも１つの駆動されるローラの前記回転速度を、前記編目サイズに対して正比例させて調節する、
請求項１または２記載の方法。
【請求項４】
ドラフトされて強化された前記粗糸（４ｄ）を、一定の糸テンションで前記編機（２）に供給する、
請求項１から３までの少なくともいずれか１項記載の方法。
【請求項５】
前記ドラフト装置（５）に、少なくとも１つの補助糸（２２，２５）を供給し、前記ドラフト装置（５）への補助糸供給速度を、前記編機において形成すべき前記ニットウェアの前記編目サイズに関連して、かつ／または前記補助糸（２２，２５）の伸長特性に関連して制御する、
請求項１から４までの少なくともいずれか１項記載の方法。
【請求項６】
ドラフトされて強化された複数の前記粗糸（４ｄ）を、別個の前記粗糸ドラフト兼強化ユニット（１０）において形成し、かつこれらの別個の編成システムから前記編機（２）に供給し、前記粗糸ドラフト兼強化ユニット（１０）を、互いに無関係に駆動制御し、かつ作動させる、
請求項１から５までの少なくともいずれか１項記載の方法。
【請求項７】
複数の前記粗糸ドラフト兼強化ユニット（１０）を、１つのモジュールにまとめ、かつ一緒に電子制御する、
請求項１から５までの少なくともいずれか１項記載の方法。
【請求項８】
前記編機（２）のそれぞれ１つの編成システムに、前記粗糸ドラフト兼強化ユニット（１０）のうちの少なくとも２つの粗糸ドラフト兼強化ユニットから、ドラフトされて強化された前記粗糸（４ｄ）を供給する、請求項６または７記載の方法。
【請求項９】
ニットウェアを製造するための装置（１，１’）であって、当該装置（１，１’）は、少なくとも１つの編機（２）と、糸搬送方向（Ａ）において前記編機（２）の上流に配置された少なくとも１つの粗糸ドラフト兼強化ユニット（１０）とを有しており、該粗糸ドラフト兼強化ユニット（１０）は、糸搬送方向（Ａ）において相前後して配置された少なくとも２つのドラフトローラ対（５１，５２，５３）を備えたドラフト装置（５）と、前記糸搬送方向（Ａ）において前記ドラフト装置（５）の下流に配置された少なくとも１つの紡績ノズル装置（６）とを有しており、前記ドラフト装置（５）の入口ローラ対（５１）の少なくとも１つの駆動されるローラ、および出口ローラ対（５３）の少なくとも１つの駆動されるローラは、少なくとも１つの駆動装置（８，８’，８’’）に連結されており、該駆動装置（８，８’，８’’）は、前記編機（２）のためのパターン制御装置（９）に連結されている装置（１，１’）において、
前記編機（２）は、編み深さ調節装置（９１）を有しており、該編み深さ調節装置（９１）は、前記編機（２）のための前記パターン制御装置（９）、および前記出口ローラ対（５３）の前記少なくとも１つの駆動されるローラのための前記少なくとも１つの駆動装置（８’’）に連結されている
ことを特徴とする装置。
【請求項１０】
当該装置（１，１’）は、前記粗糸ドラフト兼強化ユニット（１０）から進出するドラフトされて強化された粗糸（４ｄ）の糸テンションを検出するための少なくとも１つの糸テンション測定装置（４１）を有している、
請求項９記載の装置。
【請求項１１】
当該装置（１，１’）は、前記ドラフト装置（５）に接続されていてかつ前記編機（２）のための前記パターン制御装置（９）によって制御可能な、かつ／または前記ドラフト装置（５）に供給すべき補助糸（２２，２５）の伸長特性に関連して制御可能な少なくとも１つの補助糸供給装置（２２０，２１０）を有している、
請求項９または１０記載の装置。
【請求項１２】
前記編機（２）の編成システムにはそれぞれ、制御技術的に互いに無関係である少なくとも２つの別個の粗糸ドラフト兼強化ユニット（１０）が対応配置されている、
請求項９から１１までの少なくともいずれか１項記載の装置。
【請求項１３】
前記粗糸ドラフト兼強化ユニット（１０）のうちの複数の粗糸ドラフト兼強化ユニットが、１つのモジュールにまとめられていて、かつ制御技術的に連結されている、
請求項９から１２までの少なくともいずれか１項記載の装置。
【請求項１４】
長さに沿って変化する糸太さを備えたドラフトされて強化された粗糸（４ｄ）から形成されたニットウェアであって、
ドラフトされて強化された前記粗糸（４ｄ）の前記糸太さ（ｄ，ｄ’）は、当該ニットウェアのそれぞれの編目サイズに関連して形成されており、前記編目サイズの増大に連れて前記糸太さ（ｄ’）は増大し、かつ前記編目サイズの縮小に連れて、前記糸太さ（ｄ）は縮小する
ことを特徴とする、ニットウェア。
【請求項１５】
当該ニットウェアは、変化する直径を有しているが一定の不透明性を有している、丸編みされたシームレスのニットウェアである、
請求項１４記載のニットウェア。
【国際調査報告】
2020505526.tif 000006
2020505526.tif 000007
2020505526.tif 000008
2020505526.tif 000009
2020505526.tif 000010
2020505526.tif 000011